(57)【特許請求の範囲】
【請求項１】
静電容量の変化に基づいて選択された位置の座標成分を検出する入力装置であって、
絶縁性の基材の第１の面に一様に形成された第１導電層と、
前記基材の第２の面に複数の開口を有して網目状に形成された第２導電層とを備えた
入力装置。
【請求項２】
前記第１導電層の四隅に設けられた複数の検出電極と、
前記検出電極のうち前記第１導電層の一方の辺に設けられた２つの検出電極間に対応する位置において前記第２導電層の端部に設けられた固定電位電極とを備え、
前記検出電極のうちの他の２つの検出電極が、スルーホールとこの内部の導電性材料と前記第２の面上に設けられた引き回し配線部とによって、前記固定電位電極および前記２つの検出電極が設けられている前記基材の一方の縁部に引き出され、
前記基材の一方の縁部においては、スルーホールによって、前記固定電位電極および前記引き回し配線部、または前記２つの検出電極が、当該基材における前記第１の面または第２の面の一方に引き出されている
請求項１記載の入力装置。
【請求項３】
前記基材における前記第１の面または前記第２の面には、前記固定電位電極、前記引き回し配線部、および前記２つの検出電極にそれぞれ接続された各端子部が、前記一方の縁部に沿って配列されている
請求項２記載の表示装置。
【請求項４】
前記基材における前記第１の面または前記第２の面にはフレキシブルプリント基板が配置され、前記端子部と当該フレキシブルプリント基板の接続部とが接続されている
請求項３記載の入力装置。
【請求項５】
前記基材、前記第１導電層、および前記第２導電層は、光透過性材料より成る
請求項１〜４の何れかに記載の入力装置。
【請求項６】
前記基材と前記第１導電層との間、および前記基材と前記第２導電層との間の少なくとも一方に誘電体層が設けられる
請求項１〜５の何れかに記載の入力装置。
【請求項７】
前記入力装置が、接着剤を介して剛性部材と接合されて一体化されて成る
請求項１記載の入力装置。
【請求項８】
前記剛性部材及び前記接着剤が、光透過性を有する
請求項７記載の入力装置。
【請求項９】
前記剛性部材の少なくとも一部に印刷が施されている
請求項７記載の入力装置。
【請求項１０】
前記剛性部材の、前記入力装置との接合面とは反対側の面に、反射防止層が形成されている
請求項７記載の入力装置。
【請求項１１】
静電容量の変化に基づいて選択された位置の座標成分を検出する入力装置が表示面に設けられ、
前記入力装置は、
絶縁性の基材の第１の面に一様に形成された第１導電層と、
前記基材の第２の面に複数の開口を有して網目状に形成された第２導電層とを備えた
表示装置。
【請求項１２】
前記入力装置は、
前記第１導電層の四隅に設けられた複数の検出電極と、
前記検出電極のうち前記第１導電層の一方の辺に設けられた２つの検出電極間に対応する位置において前記第２導電層の端部に設けられた固定電位電極とを備え、
前記検出電極のうちの他の２つの検出電極が、スルーホールとこの内部の導電性材料と前記第２の面上に設けられた引き回し配線部とによって、前記固定電位電極および前記２つの検出電極が設けられている前記基材の一方の縁部に引き出され、
前記基材の一方の縁部においては、スルーホールによって、前記固定電位電極および前記引き回し配線部、または前記２つの検出電極が、当該基材における前記第１の面または第２の面の一方に引き出されている
請求項１１記載の表示装置。
【請求項１３】
前記基材における前記第１の面または前記第２の面には、前記固定電位電極、前記引き回し配線部、および前記２つの検出電極にそれぞれ接続された各端子部が、前記一方の縁部に沿って配列されている
請求項１２記載の表示装置。
【請求項１４】
前記基材、前記第１導電層、および前記第２導電層は、光透過性材料より成る
請求項１１〜１３の何れかに記載の表示装置。
【発明の詳細な説明】
【技術分野】
【０００１】
本発明は、静電容量の変化に基づいて選択された位置の座標成分を特定する入力装置、及びこの入力装置を用いた表示装置に関する。
【背景技術】
【０００２】
各種の表示装置の表示面上で、ペン等の部材や指などの接触体によって指定された位置の座標成分、すなわち位置座標を入力する技術が知られている。代表的なものとして、タッチパネル機能を備えた表示装置が挙げられる。このタッチパネルは、表示装置の表示パネル上に、入力装置としてタッチパネルシートが取り付けられる構成であり、このタッチパネルシートの機能によって、接触する部材の位置座標の検出及び入力がなされるようになっている。
【０００３】
このようなタッチパネルシートによる入力装置としては、種々の検出方式のものが提案されている。一般的に普及している検出方式の一つとして、静電容量を検出する方式のものがある。これは、タッチパネルシート上の位置座標による静電容量の違いを利用して、接触体が接触している位置の座標を検出するものである。
この静電容量検出方式のタッチパネルシートは、スペーサを介して２枚の抵抗膜を対向させる構成の抵抗膜方式のタッチパネルシートと比較すると、抵抗膜が１枚でよいため、（１）全光線透過率で１０％程度工場、（２）ニュートンリング防止のための処理が不要で、画面のぎらつきが低減でき、薄型化及び透明性の点において有利である。また、抵抗膜方式のように確実な押し込みが不要で、軽くなぞるだけでよいという操作性のメリットがあり、かつ耐久性においても格段に優れるという利点も有している。
【０００４】
図１７Ａ及びＢは、この静電容量方式によるタッチパネルシート型の入力装置の一例の概略構成図である。図１７Ａはこの入力装置の平面構成図を示し、図１７Ｂは図１７ＡにおけるＢ−Ｂ´矢視断面図を示す。
この場合の入力装置１００は、絶縁性の基板１０１上に、導電層１０２及び絶縁性の保護層１０７を一様に形成すると共に、導電層１０２上の四隅に、それぞれ電極１０３Ａ〜１０３Ｄを設ける構成としたものである（例えば特許文献１参照。）。
【０００５】
また、その他の静電容量方式を用いた入力装置としては、図１８に概略平面構成図を示すように、絶縁性の基板２０１上に、絶縁層２０４及び絶縁性の保護層２０７を一様に形成すると共に、この絶縁層２０４を間にしてそれぞれｘ軸又はｙ軸方向に延在する導電層２０２、２０５を短冊状に形成し、更に、これら導電層２０２、２０５上にそれぞれ電極２０３、２０６を形成してタッチパネルシート型の入力装置２００を構成するものである（例えば特許文献２参照。）。
【０００６】
【特許文献１】特開２０００−７６０１４号公報
【特許文献２】特開２００３−９９１８５号公報
【発明の開示】
【発明が解決しようとする課題】
【０００７】
ところで、上記特許文献１及び２に開示されているタッチパネルは、上述の図１７及び１８において説明した構成の入力装置１００、２００と、これら入力装置１００、２００で検出された静電容量に基づいて位置座標を特定する演算回路とから構成されている。そしてこれらにおいては、電極１０３Ａ〜１０３Ｄ又は電極２０３、２０６を介して入力装置１００、２００上に交流電流が流れるようになっており、演算回路がこの交流電流の偏りを検出し、静電容量値の変化として位置座標を特定するようになっている。
【０００８】
ここで、このような静電容量方式による入力装置において位置座標が特定されるためには、このような交流電流から成る電流ループが形成される必要がある。例えば上記特許文献１では、入力装置１００、接触体（例えば指先など）、演算回路及び入力装置１００という経路から成る電流ループが形成されるようになっている。
【０００９】
ところが、このタッチパネルシート型の入力装置１００を用いた位置座標入力装置では、使用状況によっては上記したような電流ループが形成されず、位置座標を特定できないという問題が生じる。
具体的には、タッチパネルシートが搭載されている機器が例えば交流（ＡＣ）電源機器、例えばタッチパネルシートが付加されている表示装置を備えたパーソナルコンピュータなどの場合には、ＡＣライン（電源系）という大きな空間容量が形成されているため、人体などの大きな物体が接触体であれば電流ループが形成され、位置座標を特定することができる。
これに対し、タッチパネルシートが搭載されている機器が例えば携帯機器、すなわち例えばビデオカメラ、携帯電話などの場合には、ＡＣ機器の場合とは異なり、機器自体が小さいことから形成される空間容量も小さくなり、電流ループが形成されないような場合が生じてしまうこととなる。
機器本体と、人体との間で接触点をもつようにすることにより、電流ループを形成することも考えられるが、例えば冬場に手袋などの絶縁物を介する場合などもあり、やはり電流ループが形成されない場合が生じてしまう。
【００１０】
なお、前述の図１８において示す入力装置では、入力装置２００との接触点において、接触体と一対の電極２０３、２０６との間に常に電流ループが形成されるようになっており、上述した図１７に示す入力装置１００におけるような問題は生じない。
しかしながらこの場合、入力装置２００の構造は、導電層２０２、２０５をそれぞれ短冊状に形成すると共に、その短冊状の導電層の一つ一つに電極２０３、２０６を設けるようになっている。したがって、構成が複雑となることから、例えば電極２０３、２０６から演算回路までの配線のレイアウトに制限が生じるなど、設計する際の自由度が大きく低下してしまうという問題があった。
このことは、特に透過型のタッチパネルを設計する際には顕著な制限事項となってしまう。
【００１１】
以上の問題に鑑みて、本発明は、タッチパネルなどに適用可能な静電容量方式の入力装置において、構成の簡易化を図ることを目的とする。
【課題を解決するための手段】
【００１２】
上記課題を解決するため、本発明は、静電容量の変化に基づいて選択された位置の座標成分を検出する入力装置であって、静電容量の変化を検出する電極と、外部との電気的接続を行う端子部のうち、少なくとも一部にスルーホール部が設けられ、少なくとも一部のスルーホール部から、端子部への引き回し配線部が設けられて、端子部が、入力装置の一方の縁部に沿って設けられて成る構成とする。
また、本発明は、上述の入力装置において、静電容量の変化を検出する容量検出部は、絶縁性の基材の第１の面に一様に形成された第１導電層と、前記基材の第２の面に複数の開口を有して網目状に形成された第２導電層とを備えた構成とする。
【００１３】
上述したように、本発明の入力装置は、静電容量の変化に基づいて位置座標を検出する入力装置において、静電容量の変化を検出する電極と、外部との電気的接続を行う端子部の一部にスルーホール部を設け、更に、このスルーホール部から、端子部への引き回し配線部を設けることによって、端子部が、入力装置の一方の縁部に沿って設けられる構成とするものである。
このような構成とすることによって、入力装置の一方の面の一方の縁部に配置された端子部と外部との電気的接続部、例えばフレキシブルプリント基板などとの接続を行うことができることから、このようなフレキシブルプリント基板の大型化や、入力装置自体の大型化を回避して、より簡易な構成の入力装置及びこれを用いる表示装置を提供することが可能となる。
【００１４】
また、本発明の入力装置において、静電容量を検出する容量検出部として、第１導電層、絶縁層(絶縁性の基材）及び第２導電層から成る積層構造をなすと共に、第２の導電層が網目状であることから、所定の電位差を有する第１導電層と第２導電層との間で静電容量が形成され、これらの間で電流ループが常に形成される。そしてこの静電容量の変化が検出されることで、選択された位置の座標成分が特定される。したがって、この場合、ＡＣ電源部を設けないいわゆる携帯機器においても適用可能であり、使用状況に制限されない静電容量方式の入力装置及びこれを用いた表示装置を提供することができる。
【発明の効果】
【００１５】
以上説明したように、本発明によれば、より簡易な構成の静電容量方式の入力装置及びこれを用いた表示装置を提供することができる。
更に、本発明の入力装置において、静電容量を検出する容量検出部を、一様に検出された第１導電層と、この第１導電層とは絶縁層を介して設けられた網目状の第２の導電層とより構成し、これら第１及び第２の導電層との間に所定の電位差を有する構成とすることによって、携帯機器型の入力装置及び表示装置において、その構成の簡易化を図ることができる。
【発明を実施するための最良の形態】
【００１６】
以下本発明を実施するための最良の形態の例を説明するが、本発明は以下の例に限定されるものではない。
なお、本出願人は、先に出願した特願２００５−８３５８３号出願において、静電容量の変化を検出する容量検出部として、一様に検出された第１導電層と、この第１導電層とは絶縁層を介して、任意の形状の開口が複数設けられた網目状の第２の導電層が形成され、これら第１及び第２の導電層との間に所定の電位差を有する構成とすることによって、携帯機器型の装置に適用可能な入力装置を提案した。以下の各実施形態例においては、この構成の入力装置に本発明を適用した例を示す。
【００１７】
図１Ａ及びＢは、本発明の一実施の形態に係る入力装置１の表面及び裏面である第１及び第２の面１１Ａ及び１１Ｂ側から見た概略平面構成図である。この入力装置１は、静電容量を検出する容量検出部が、第１導電層１２と、この第１導電層１２とは絶縁層、この場合絶縁材料より成るプラスチックフィルム等の基材１１を介して形成される網目状の第２導電層１５より構成され、これら第１及び第２の導電層１２及び１５との間に所定の電位差を有する構成とした例を示す。なお、以下の各実施形態例において、網目状とは、文字通り網目が周期的に配列された形状には限られず、第２導電層において任意の形状の開口が複数設けられている構造であればよい。
また、この例においては、第１導電層１２の四隅に設けられた検出電極１３Ａ〜１３Ｄと、第２導電層１５の一辺の中央部に設けられた固定電位電極１６とを有する構成とした例を示す。
【００１８】
そして、本発明においては、これらの構成による静電容量検出方式の入力装置１において、図２Ａ及びＢに示すように、静電容量の変化を検出する検出電極１３Ａ〜１３Ｄ及び固定電位電極１６に対し、外部との電気的接続を行う端子部２０Ａ〜２０Ｄ及び２０Ｇが、この入力装置１の一端、図示の例では左端に設けられる。
すなわちこの場合、電極１３Ａ及び１３Ｂ、固定電位電極１６、更に端子部２０Ａ及び２０Ｂそれぞれにスルーホール部１８Ａ、１８Ｂ、１８Ｇ、１８Ａ´及び１８Ｂ´が設けられる。これらのスルーホール部１８Ａ、１８Ｂ、１８Ｇ、１８Ａ´及び１８Ｂ´を導電性ペースト等で埋め込むか、又はその側面を導電性材料によりコーティングすることによって、スルーホール部の表裏の電極部分が電気的に接続される。基材１１の第１の面１１Ａ側の検出電極１３Ａ及び１３Ｂに設けられたスルーホール部１８Ａ、１８Ｂからは、第２の面１１Ｂ側において、端子部２０Ａ´及び２０Ｂ´への引き回し配線部１９Ａ及び１９Ｂが第２導電層１５の外側に設けられて図中左側へ引き出され、基材１１の左端の端子部２０Ａ´及び２０Ｂ´に接続される。この端子部２０Ａ´及び２０Ｂ´からスルーホール部１８Ａ´１８Ｂ´を介して、第１の面１１Ａ側の端子部２０Ａ及び２０Ｂに接続される。このようないわば立体的な配線引き回し構造とすることによって、端子部２０Ａ〜２０Ｄ及び２０Ｇが、入力装置１の第１の面１１Ａ側の一方の縁部に沿って設けられて成る構成とする。
【００１９】
この場合、図２Ｃに示すように、外部との電気的接続を行う例えばフレキシブルプリント配線（ＦＰＣ）基板４０の形状は、この入力装置１の一端に沿って接続部が設けられるいわばＴ字形の簡易な構成とすることができる。
更にこの場合、ＦＰＣ基板４０を接続しない反対側の第２の面１１Ｂは、凹凸のない平坦面として構成することができる。
【００２０】
次に、本実施形態例における入力装置の位置座標の入力態様について説明する。
図３は、図１及び図２に示す入力装置１によって入力される静電容量に基づいて、入力装置１において接触体（例えば指先など）によって選択された位置座標を特定する位置座標検出装置の概略ブロック構成を示す図である。この位置座標検出装置は、入力装置１への指先などの接触体によって選択された位置の座標成分、すなわち図３中矢印ｘ及びｙで示すｘ軸方向及びｙ軸方向の一座標を特定して入力するものであり、静電容量を検出する入力装置１と、電流検出部２と、差動実効値検波回路３Ａ〜３Ｄと、誤差補正回路４と、位置座標演算部５とを備えている。
【００２１】
入力装置１は、上述したように、その四隅に設けられた４つの検出電極１３Ａ〜１３Ｄと、その端部に設けられた固定電位電極１６とを含んだ積層構造を有している。これら検出電極１３Ａ〜１３Ｄは、電流検出部２を介して、交流の基準信号を出力する基準信号電源Ｖ２に接続されている。一方、固定電位電極１６には、所定の直流電位からなる固定電位Ｖ１が供給されている。なお、検出電極１３Ａ〜１３Ｄは、本発明における４つの電極の一具体例に対応する。
【００２２】
図４と、図５Ａ及びＢは、それぞれこの入力装置１の一実施形態例の要部の概略斜視構成図、概略上面構成図、概略断面構成図を示す。
この例においては、入力装置１は、基材１１上の第１の面１１Ａに、第１導電層１２、検出電極１３Ａ〜１３Ｄ、表面保護層１７Ａ、また基材１１の第２の面１１Ｂに、第２導電層１５、固定電位電極１６及び表面保護層１７Ｂを積層した積層構造より成る。
【００２３】
基材１１は、これら積層構造の支持基材であり、例えば、透明又は半透明のガラス材料や絶縁性を有するプラスチック材料などにより構成される。基材１１としてフィルム薄膜基材を用いることによって、第１導電層１２及び第２導電層１５の間隔を極めて薄くし、静電容量を検出する精度を高めることが可能である。
【００２４】
第１導電層１２は、基材１１の第１の面１１Ａ上に一様に形成されて成り、例えばＩＴＯ（インジウム−スズ混合酸化物）などの光透過性の導電性材料により構成される。また、検出電極１３Ａ〜１３Ｄは、それぞれ、前述したように第１導電層１２の四隅に配置されており、基準信号電源Ｖ２から交流の基準信号が入力されている。これら検出電極１３Ａ〜１３Ｄは、例えば、銀（Ａｇ）、金（Ａｕ）、ニッケル（Ｎｉ）、銅（Ｃｕ）などの金属材料により構成される。
【００２５】
第２導電層１５は、基材１１の第２の面１１Ｂ上に形成され、第１導電層１２と同様に、例えば、ＩＴＯなどの透明又は半透明の導電性材料により構成される。この第２導電層１５は、図４及び図５Ａに示すように、例えば網目状に形成される。このように網目状とすることにより、第１導電層１２と第２導電層１５との間で発生した電界（電気力線）が網目状電極間の開口から通り抜けることができ、すなわち電界をシールドしない構造となっている。なお、この第２導電層１５の形状は、図４及び図５Ａに示すように、正方格子状とは限ることなく、任意の形状の開口が複数設けられていればよい。ただし、第２導電層１５を一様な網目状に形成する場合は、上述した電界の大きさ（電気力線の数）が、入力装置１内で等方的な分布となり、位置座標を均一な感度で検出できるので好ましい。
【００２６】
固定電位電極１６は、前述のように第２導電層１５の端部、すなわち本実施形態例では、第１導電層１２の検出電極１３Ｃ及び１３Ｄの間に対応する位置に配置されており、固定電位Ｖ１が供給されている。したがって、第２導電層１５には固定電位電極１６を介して固定電位Ｖ１が供給され、これにより第２導電層１５は所定の固定電位Ｖ１を有するようになっている。よって、第１導電層１２と第２導電層１５との間には所定の電位差（交流の基準信号と固定電位Ｖ１との電位差）が生じることから、第１導電層１２には、検出電極１３Ａ〜１３Ｄを介して交流電流（検出電流）Ｉａ〜Ｉｄ（図３参照）が流れるようになっている。この固定電位電極１６は、例えば、銀（Ａｇ）、金（Ａｕ）、ニッケル（Ｎｉ）、銅（Ｃｕ）などの金属材料により構成される。なお、固定電位電極１６の配置は、図４に示した配置に限定されることなく、第２導電層１５に固定電位Ｖ１を印加できる配置であればよい。
【００２７】
表面保護層１７Ａ及びＢは、基材１１上に形成されたこれら積層構造、すなわち第１導電層１２及び検出電極１３Ａ〜１３Ｄ、又は第２導電層１５及び固定電位電極１６の表面を保護するものであり、例えばＳｉＯ２や窒化シリコンＳｉＮｘなどの透明又は半透明の絶縁性材料により構成される。
このような構成により入力装置１は、その積層構造間に発生する静電容量を、検出電極１３Ａ〜１３Ｄを介して検出する構成とされる。
【００２８】
次に、上述の構成より成る入力装置１の製造方法の一例について説明する。
先ず、上述の材料より成る基材１１の第１の面１１Ａ上に、例えば真空蒸着、スパッタリング法、または塗布等により、上述した材料より成る第１導電層１２を形成する。
続いて、この第１導電層１２の上の四隅に、例えばスクリーン印刷による銀ペースト印刷、或いは、マスクをかけて真空蒸着、スパッタリングすることで上述した材料より成る検出電極１３Ａ〜１３Ｄをそれぞれ形成する。
その後、これら検出電極１３Ａ〜１３Ｄの一部の所定位置にパンチ加工等の機械的加工、又はレーザ加工等によってスルーホール部１８Ａ〜１８Ｄを形成し、銀ペースト等の導電性ペーストを埋め込むなどによって、スルーホール部１８Ａ〜１８Ｄを介した両面の電極部分での電気的導通を可能とする加工を行う。
そしてこれら第１の導電層１２及び検出電極１３Ａ〜１３Ｄ上に、例えば塗布によって上述した材料より成る表面保護層１７Ａを形成する。
次に、基材の１１の第２の面１１Ｂ上に、例えばスパッタリング法により上述した材料より成る第２導電層１５を成膜し、その後、例えばエッチングなどにより所定の網目状のパターンに形成する。
続いて、この第２導電層１５の上の端部に、例えばスクリーン印刷やマスクをかけて真空蒸着、スパッタリングすることによって上述した材料より成る固定電位電極１６、更に上述したスルーホール部１８Ａ及び１８Ｂから１８Ａ´及び１８Ｂ´に至る引き回し配線部１９Ａ及びＢを形成する。
最後に、この第２導電層１５及び固定電極１６上に、例えば塗布によって上述した材料より成る表面保護層１７Ａを形成する。このようにして、図２、図４及び図５に示した入力装置１が形成される。
なお、上述した電極や配線部のパターン形成としては印刷やマスクを用いる方法のほか、化学的エッチングやレーザ加工などにより導電膜を部分的に除去する方法も用いることができる。
【００２９】
再び図３を参照してこの検出態様について説明する。電流検出部２には、４つの抵抗器Ｒａ〜Ｒｄが設けられる。これら抵抗器Ｒａ〜Ｒｄの一端は、それぞれ、入力装置１の検出電極１３Ａ〜１３Ｄ及び差動実効値検波回路３Ａ〜３Ｄの第１の入力端子に接続されている。又、抵抗器Ｒａ〜Ｒｄの他端は、それぞれ、差動実効値検波回路３Ａ〜３Ｄの第２の入力端子及び基準信号電源Ｖ２に接続されている。このような構成において、電流検出部２は、基準信号電源Ｖ２から入力装置１の検出電極１３Ａ〜１３Ｄへそれぞれ流れる検出電流Ｉａ〜Ｉｄの大きさに応じて抵抗器Ｒａ〜Ｒｄの両端に電圧を発生させ、差動実効値検波回路３Ａ〜３Ｄの第１及び第２の入力端子へそれぞれ出力するようになっている。すなわち、電流検出部２は、電流−電圧変換を行う回路として機能する。
【００３０】
差動実効値検波回路３Ａ〜３Ｄは、それぞれ、基準信号電源Ｖ２から第２の入力端子へ出力される基準信号と、電流検出部２から第１の入力端子へ流れる検出電流Ｉａ〜Ｉｄの大きさに対応した電圧値（抵抗器Ｒａ〜Ｒｄの一端における電位）とに基づいて、第１及び第２の入力端子間の差動実効値（実効値電圧Ｖａ〜Ｖｄ）を求める回路である。具体的には、基準信号と検出電流Ｉａ〜Ｉｄの大きさに対応した電圧値との差が大きい場合、検出電流Ｉａ〜Ｉｄの変動が大きいこととなり、実効値電圧Ｖａ〜Ｖｄの値も大きくなる。なお、これら実効値電圧Ｖａ〜Ｖｄは、位置座標演算部５へそれぞれ出力される。
【００３１】
誤差補正回路４は、後述する位置座標演算部５において接触体の一座標を特定する際の誤差を補正するための回路である。具体的には、入力装置１に接触体が接触していないときに求められる位置座標をオフセット電圧（（−Ｖoffset）及び（−Ｖoffset／２））とみなし、例えばその内部に設けられている図示しない記憶手段、たとえは半導体メモリなどに記憶される。この誤差補正回路４に記憶されているオフセット電圧は、位置座標演算部５へ出力され、下記のように入力装置１に接触体が接触しているときの演算に利用される。
【００３２】
位置座標演算部５は、加算回路５１〜５３と、除算回路５４、５５とを有する。加算回路５１は、実効値電圧Ｖａ、Ｖｄとオフセット電圧（−Ｖoffset／２）とをそれぞれ加算し、その加算結果を除算部５４へ出力する回路である。加算回路５２は、実効値電圧Ｖｃ、Ｖｄとオフセット電圧（−Ｖoffset／２）とをそれぞれ加算し、その加算結果を除算部５５へ出力する回路である。加算回路５３は、実効値電圧Ｖａ〜Ｖｄとオフセット電圧（−Ｖoffset／２）とをそれぞれ加算し、その加算結果を除算部５４、５５へそれぞれ出力する回路である。また、除算回路５４は、加算回路５１からの加算結果を加算回路５３からの加算結果で除算し、その除算結果を出力する回路である。除算回路５５は、加算回路５２からの加算結果を加算回路５３からの加算結果で除算し、その除算結果を出力する回路である。このような構成により、位置座標演算部５は、差動実効値検波回路３Ａ〜３Ｄから供給される実効値電圧Ｖａ〜Ｖｄ、及び誤差補正回路４から供給されるオフセット電圧（（−Ｖoffset）及び（−Ｖoffset／２））に基づいて、接触体の位置座標（ｘ軸方向及びｙ軸方向の位置座標（Ｐｘ，Ｐｙ））を特定するための演算を行い、その演算結果である位置座標Ｐｘ、Ｐｙを出力する構成とされる。
【００３３】
具体的には、上記した除算回路５４による除算結果が、ｘ軸方向の位置座標Ｐｘとなり、除算回路５５による除算結果がｙ軸方向の位置座標Ｐｙとなる。以上の加算回路５１〜５３、除算回路５４及び５５による位置座標Ｐｘ、Ｐｙの演算をまとめると、以下の式（１）、（２）として表される。
【００３４】
Ｐｘ＝（Ｖａ＋Ｖｄ−Ｖoffset(x)／２）／（Ｖａ＋Ｖｂ＋Ｖｃ＋Ｖｄ−Ｖoffset(x)）・・（１）
Ｐｙ＝（Ｖａ＋Ｖｄ−Ｖoffset(y)／２）／（Ｖａ＋Ｖｂ＋Ｖｃ＋Ｖｄ−Ｖoffset(y)）・・（２）
ここで、式（１）及び（２）中のＶoffset(x)及びＶoffset(y)は、それぞれｘ軸方向及びｙ軸方向のオフセット電圧を表す。
【００３５】
次に、図３〜図６を参照して、このような構成の座標入力装置において、接触体の位置座標を特定する処理について説明する。ここで、図６は、接触体の位置座標を特定する際の状況を断面図で表したものであり、図６Ａは接触体が入力装置１に接触していないときの状況、図６Ｂは接触体が入力装置１に接触しているときの状況をそれぞれ表す。
【００３６】
先ず、接触体が入力装置１に接触していないときには、図６Ａに示すように、一様に形成された第１導電層１２と網目状に形成された第２導電層１５との間において電界Ｅ１が発生し、これらの間に静電容量Ｃ１が形成される。すなわち、前述のように第２導電層１５が網目状となっていることから、発生する電界がシールドされない状態で静電容量が形成されることとなる。
したがって、検出電極１３Ａ〜１３Ｄを介して交流の基準信号が入力される第１導電層１２と固定電位Ｖ１を有する第２導電層１５との間に、所定の電位差が生じていることから、検出電極１３Ａ〜１３Ｄからそれぞれ交流の検出電流Ｉａ〜Ｉｄが流れる。
すなわち、この入力装置の使用状況にはよらず、常にこれらの間に電流ループが形成されることとなる。
なお、接触体が入力装置１に接触していない場合には、部分的には電界Ｅ１の集中が生じるが、入力装置１全体としては、均一であると近似できる程度であることから、検出電流Ｉａ〜Ｉｄの大きさはいずれも同一であるとみなすことができ、これらの大きさに偏りは生じない。
【００３７】
このようにして流れる検出電流Ｉａ〜Ｉｄは、図３に示す電流検出部２によって電流−電圧変換がなされ、その大きさに応じて変換された電圧が、それぞれ差動実効値検波回路３Ａ〜３Ｄの第１の入力端子へ入力される。差動実効値検波回路３Ａ〜３Ｄでは、これら検出電流Ｉａ〜Ｉｄの大きさに対応した電圧値と、基準信号電源Ｖ２から第２の入力端子へ出力される基準信号とに基づいて、実効値電圧Ｖａ〜Ｖｄが求められる。そして、位置座標検出部５によって、これら実効値電圧Ｖａ〜Ｖｄに基づいて以下の式（３）及び（４）の演算を行うことにより、ｘ軸方向及びｙ軸方向のオフセット電圧Ｖoffset(x)、Ｖoffset(y)がそれぞれ求められる。
【００３８】
Ｖoffset(x)＝（Ｖａ＋Ｖｄ）／（Ｖａ＋Ｖｂ＋Ｖｃ＋Ｖｄ）・・・（３）
Ｖoffset(y)＝（Ｖｃ＋Ｖｄ）／（Ｖａ＋Ｖｂ＋Ｖｃ＋Ｖｄ）・・・（４）
【００３９】
このようにして、接触体が入力装置１に接触していないときの位置座標（オフセット電圧）が求められ、誤差補正回路４内の図示しない記憶手段などに記憶される。
なお、上記のように接触体が入力装置１に接触していない場合には、検出電流Ｉａ〜Ｉｄの大きさはいずれも同一であるとみなすことができることから、このときに式（３）、（４）から求められる位置座標は、それぞれ１／２、すなわち入力装置１の中心となる。
【００４０】
一方、接触体６が入力装置１に接触しているときには、図６Ｂに示すように、第１導電層１２と第２導電層１５との間において電界Ｅ２（≠Ｅ１）が発生し、これらの間における静電容量Ｃ１に加え、第２導電層１５と接触体６が接触している表面保護層１７Ａ上の接触面６１との間に静電容量Ｃ２が形成され、更に、第１導電層１２と接触面６１との間に静電容量Ｃ３が形成される。
すなわち、接触体６が接触していないときには「Ｃ１」であった静電容量が、接触体６が接触しているときには、図６Ｂから明らかなように、「Ｃ１＋（Ｃ２×Ｃ３）／（Ｃ２＋Ｃ３）」となり、静電容量の値が変化する。また、この場合も位置座標入力装置の使用状況などにはよらず、静電容量の値が変化する。また、この場合も位置座標入力装置の使用状況などにはよらず、接触面６１と第１及び第２導電層１２及び１５との間に常に電流ループＩ１が形成される。
【００４１】
更に、このときの検出電流Ｉａ〜Ｉｄの大きさは、この容量の増加分「（Ｃ２×Ｃ３）／（Ｃ２＋Ｃ３）」に比例して増加し、これら検出電流Ｉａ〜Ｉｄの偏りは、接触面６１の位置座標に応じて変化する。したがって、このようにして偏りが生じた検出電流Ｉａ〜Ｉｄが電流検出部２によってそれぞれ電流−電圧変換され、これに基づいて差動実効値検波回路３Ａ〜３Ｄによって実効電圧値Ｖａ〜Ｖｄが求められ、位置座標演算部５及び誤差補正回路４によって前述の式（１）、（２）の演算がなされることで、接触体６が入力装置１に接触しているときの位置座標Ｐｘ、Ｐｙが特定される。このようにして、接触体６の位置座標Ｐｘ、Ｐｙを特定する処理が終了する。
【００４２】
以上説明したように、本実施形態例においては、入力装置１として、基材１１を介して形成された第１導電層１２及び網目状の第２導電層１５から成る積層構造により構成するとともに、第１導電層１２と第２導電層１５との間で所定の電位差（交流の基準信号と固定電位Ｖ１との間の電位差）を生じさせるようにしたので、第１及び第２の導電層１２及び１５間での電流ループを常に形成することができ、使用状況によらないで確実に接触体６の位置座標Ｐｘ、Ｐｙを特定することが可能となる。
【００４３】
また、複雑な層構造や電極構造を必要とせず、第２導電層１５を網目状に形成すると共に、検出電極１３Ａ〜１３Ｄや固定電位電極１６についても、それぞれ第１導電層１２の四隅や第２導電層１５の端部に形成するだけでよいので、従来と比べて構成を複雑化することなく、接触体６の位置座標Ｐｘ、Ｐｙを入力することができる。
【００４４】
更に、接触体６が入力装置１に接触していないときの位置座標をオフセット電圧Ｖoffset(x)、Ｖoffset(y)として求め、接触体６が入力装置１に接触しているときにはこのオフセット電圧を用いて誤差を補正するようにしたので、高い位置精度で接触体６の位置座標Ｐｘ、Ｐｙを特定することができる。
【００４５】
なお、本発明の入力装置は、上述の実施形態例に限定されることなく、その他例えば基材１１の一方の面上に、例えば酸化シリコン（ＳｉＯ２）などの透明又は半透明の絶縁性材料より成る絶縁層を介して第１及び第２の導電層を積層する構成としてもよい。
しかしながら、上述したように基材１１の両面に積層構造を形成する構成とする場合は、基材１１の一方の面のみに形成する場合と比べ、基材１１の第１及び第２の面１１Ａ及び１１Ｂ上に第１及び第２の導電層１２及び１５をそれぞれスパッタリング法等により形成した後、両面に印刷等によって検出電極１３Ａ〜１３Ｄ、固定電位電極１６を形成することによって、スパッタリング工程及び印刷工程を１回に済ませるなど、製造工程をより簡素化し、製造コストを下げることが可能である。
また、第１及び第２導電層の間の間隔が感度に影響することから、上述したように、基材１１として極めて厚さの薄い薄膜フィルムを用いる場合は、感度の良好な入力装置を提供することができるという利点を有する。
【００４６】
そして、このような入力装置に対して、前述の図２Ａ及びＢにおいて説明したスルーホール部及び引き回し配線部を有する構造とすることによって、上述したように、外部との電気的接続を行うＦＰＣ基板４０との接続を一方の面、図２Ａ及びＢの例においては、第１の面１１Ａのみにて行うことができ、またＦＰＣ基板４０の面積を低減化して部材コストの増大化を抑えることができるという利点を有する。
また、前述の特許文献２に開示された構造の入力装置と比較して、配線引き回し構造を簡易化することができるため、平面構成として小型化が可能であり、タッチパネル等に利用する場合のいわゆる狭額縁化を図ることが可能となる。
【００４７】
以上説明した本発明による入力装置は、各種表示装置に適用可能である。例えば本発明による入力装置において、基材と第１及び第２の導電層、更に表面保護層を光透過性材料により形成し、例えば有機又は無機のＥＬ（Electro-Luminescence）ディスプレイやＬＣＤ（Liquid Crystal Display）などから成る表示部上に配置して構成すればタッチパネル型の表示装置を提供することができる。
このようにして構成された表示装置は、表示部からの出射光によって、文字情報、静止画又は映像情報などを表示すると共に、接触体による入力装置への接触面の位置座標を検出し、この位置座標を元に入力した結果を表示することが可能である。特に、この表示装置が携帯型のものであっても、その使用状況などによらず、位置座標を特定して入力することができるという利点を有する。
【００４８】
なお、上述した図３〜図５において説明した構造の入力装置において、各電極から外部への電気的接続を行う比較例として、例えば図７Ａ及びＢに入力装置１０及びＦＰＣ基板４０の概略斜視構成図を示すように、検出電極１３Ａ〜１３Ｄ及び固定電位電極１６にそれぞれ接続する接続部４１を設けたいわばコの字形のフレキシブルプリント基板４０を用いることが考えられる。この場合、フレキシブルプリント基板４０が一方の面側のみとなってしまい、またフレキシブルプリント基板４０の面積が大型化して部材コストが高くなるという問題がある。
また、例えば図８Ａ及びＢに、基材１１の第１の面側及び第２の面側の配線構造及びＦＰＣ基板４０の概略平面構成図を示すように、ＦＰＣ基板４０に切り込み部４２を設けることによって、基材１１の一方の端部に引き出した端子部２０Ａ〜２０Ｂ及び２０Ｇに対し、ＦＰＣ基板４０の切込み部４２によって挟み込む構成が考えられる。この場合は、ＦＰＣ基板４０を小型化できコスト抑制が可能だが、配線スペースが大きくなると共に、ＦＰＣ基板４０の表裏両面に接続箇所を設ける構造とする必要がある。更にこの場合には、ＦＰＣ基板４０との接続部分において基材１１の両面共に、ＦＰＣ基板４０の厚さ分の厚みが増すこととなり、この入力装置自体を粘着テープなどで例えば表示装置の平坦な表示面に貼合する際に段差となり、気泡が生じて貼合不良になる可能性が高くなってしまう。
【００４９】
これに対し、上述の本発明においては、基材１１においていわば立体的な引き回し配線構造を設けることによって、基材１１の一方の端部にＦＰＣ基板４０を接続する構成であることから、このような不都合を回避することができる。
【００５０】
図９Ａ及びＢは、本発明による入力装置の他の実施形態例の第１の面側及び第２の面側からみた概略平面構成図である。図９Ａ及びＢにおいて、図２Ａ及びＢと対応する部分には同一符号を付して重複説明を省略する。この例においては、網目状の第２の導電層１５を設ける第２の面１１Ｂの端部にＦＰＣ基板４０を取り付け可能とする例であり、第１の面１１Ａ側が平坦面となる場合を示す。
【００５１】
この例においては、電極１３Ａ〜１３Ｄ、固定電位電極１６、更に端子部２０Ｃ及び２０Ｄそれぞれにスルーホール部１８Ａ〜１８Ｄ、１８Ｇが設けられる。これらのスルーホール部１８Ａ〜１８Ｄ、１８Ｇを導電性ペースト等で埋め込むか、又はその側面を導電性材料によりコーティングすることによって、スルーホール部の表裏の電極部分が電気的に接続される。基材１１の第１の面１１Ａ側の検出電極１３Ａ及び１３Ｂに設けられたスルーホール部１８Ａ、１８Ｂからは、第２の面１１Ｂ側において、端子部２０Ａ及び２０Ｂへの引き回し配線部１９Ａ及び１９Ｂが第２導電層１５の外側に設けられて図中左側へ引き出される。また、第１の面１１Ａ側の検出電極１３Ｃ及び１３Ｄは、第２の面１１Ｂ側の端子部２０Ｃ及び２０Ｄとスルーホール部１８Ｃ及び１８Ｄにより接続される。このような構成とすることによって、端子部２０Ａ〜２０Ｄ及び２０Ｇが、第２の面１１Ｂ側において、基材１１の左端に設けられる構成とすることができる。
図９Ｃに示すように、この場合は、第２の面１１Ｂ側において、Ｔ字形などの比較的小型のＦＰＣ基板４０により外部との接続が可能となる。
【００５２】
なお、第１の面１１Ａ側からＦＰＣ基板４０を取り付ける前述の図２Ａ及びＢにおいて説明した実施形態例と共通の電極形状、端子部及び配線部構造とする場合は、スルーホール加工の位置を変更するだけで、両実施形態例による入力装置を形成することができる。またこの場合、ＦＰＣ基板４０の電極配線構造も共通とすることができ、すなわちＦＰＣ基板４０として共通部材が使用可能である。第１又は第２の面１１Ａ又は１１Ｂのどちらの面を平坦面とするかによって、スルーホール部の位置の変更のみで設計変更が可能となる。
【００５３】
図１０Ａ及びＢは、本発明による入力装置の他の実施形態例の第１の面側及び第２の面側からみた概略平面構成図である。図１０Ａ及びＢにおいて、図２Ａ及びＢと対応する部分には同一符号を付して重複説明を省略する。
この例においては、上述の図２Ａ及びＢにおいて説明した例において、端子部２０Ａ〜２０Ｄ、２０Ｇを第１の面１１Ａ側の左端に設けるとともに、これらを左端中央部に近接させた例を示す。
このような構成とすることにより、図１０Ｃに示すように、第１の面１１Ａの左端に接続するＦＰＣ基板４０の接続部をより小型化することができ、さらにコストの低減化を図ることが可能である。
【００５４】
図１１Ａにおいては、第２の面１１Ｂ側にＦＰＣ基板４０を接続した場合において、第１の面１１Ａを粘着面として例えば表示装置の前面パネル３１に、その窓部３２内に入力装置を配置するように矢印ａで示すように貼り合わせる例を示す。
また、図１１Ｂにおいては、第１の面１１Ａ側にＦＰＣ基板４０を接続した場合において、第２の面１１Ｂを粘着面として、例えばＬＣＤや有機ＥＬパネル等の表示装置３０の表示パネル３３上に入力装置を配置するように、矢印ｂで示すように貼り合わせる例を示す。
このように、本発明によれば、用途や目的に応じて入力装置の第１の面側、第２の面側のどちらの面でも、例えば粘着剤等を介して目的とする表示装置のパネル部材等に固着することが可能となるという利点を有する。
【００５５】
次に、本発明の入力装置において、接着剤を介して、剛性部材と接合されて一体化されて成る実施形態例の各例について説明する。
本発明の入力装置を適用して好適なタッチパネルは、通常表示装置の上に配置される。薄型化、軽量化の要望から昨今タッチパネルはフィルムベースのものが主流となっている。また、表示装置として液晶が主流となりつつあるが、液晶自体は極薄のガラス２枚の間に液晶材料を挟み込んだ構造をしており、液晶パネル上へ直接フィルムベースのタッチパネルを配置した場合、例えば指によるタッチパネルへの操作により、液晶パネルのガラスまで変形し、タッチした部分のみ色が変わるなどの画質劣化が起こる。
また、フィルムベースのタッチパネルは、ミクロ的に見ると、その動作時に絶えず変形しており、長年の使用により動作が不安定になるなど、耐久性に問題が生じることもある。
【００５６】
この対策方法としては、ある程度の剛性を有する部材を液晶パネルの表面に配置すれば良いが、この構造だとタッチパネル機能が付与できず、今まで両方を満足させる技術が存在しなかった。
上述の静電容量検出方式による入力装置を用いたタッチパネルは、接近してきた物体により基板側に形成した電極間の静電容量変化を検出するため、剛性部材を表面に配置しても動作可能となる。なお、剛性部材の厚さは、静電容量変化をより精度良く検出するためにできるだけ薄いほうが望ましい。また、例えばパーソナルコンピュータの入力装置として、タッチパッドを構成することも可能である。この場合は、基材や導電層、またこの剛性部材及びその接着剤などを不透明な材料により構成してもよい。
【００５７】
図１２は、本発明の入力装置の一実施形態例による概略断面構成を示す。この入力装置は例えば光透過性のフィルム上の基材１１の両面に透明導電材料より成る第１及び第２導電層１２及び１５、検出電極１３Ａ〜１３Ｄ及び固定電位電極１６を形成した構成としており、基本的にフィルム材１枚により構成することができる。
このような構成において、第１導電層１２及び検出電極１３Ａ〜１３Ｄ上に、例えば光透過性を有する接着剤２２を介して、ガラス等の光透過性を有する剛性部材２１が接合される。この場合、指などの接触体を接触させる入力操作側に、剛性部材２１を設けることにより、耐久性を向上させ、また外観及び品質の向上を図ることができる。
【００５８】
図１３は、基材１１と、第１及び第２導電層１２及び１５との間に、それぞれ誘電体層２３及び２４を設ける実施形態例の概略断面構成を示す。図１３において、図１２と対応する部分には同一符号を付して重複説明を省略する。
このように、誘電体層２３及び２４を介在させる構成とすることにより、光学特性を調整することが可能となる。
特に、導電層の表面が空気との界面である場合に、誘電体層の屈折率と厚さを調整することによって、反射光強度を低減させることができ、表示装置としての画質性能を向上させることができる。
【００５９】
図１４は、剛性部材２１の表面に反射防止層２５が形成されている本発明の他の実施形態例の概略断面構成を示す。図１４において、図１２と対応する部分には同一符号を付して重複説明を省略する。
このように、反射防止層２５を設けることによって、反射光強度を低減させることが可能となり、同様に画質性能を向上させることができる。反射防止層２５としては、有機材料層と無機材料層とが積層された構造とすることができる。
【００６０】
図１５は、剛性部材２１の、第１導電層１２と接合する裏面側に化粧印刷等の印刷部２６を設けた実施形態例の概略断面構成図である。図１５において、図１３と対応する部分には同一符号を付して重複説明を省略する。
このように剛性部材２１を利用して、印刷部２６を設ける構成とすることにより、表示装置の外装部品として使用することが可能となり、タッチパネル機能の付与された外装部品を提供することが可能となる。
以上の図１２〜図１５に示す各実施形態例においては、基材１１、第１及び第２導電層１２及び１５などに加えて接着剤２２、剛性部材２１を光透過性材料により構成した例を示したが、それぞれ不透明な材料により構成して、タッチパッドとして構成することももちろん可能である。タッチパッドを構成する場合は、例えば剛性部材２１の表面側に印刷部を設けてもよい。
【００６１】
上述の各実施形態例による入力装置は、例えば図１６Ａ〜Ｃに示すように、携帯型のゲーム機５０、デジタルカメラ６０、撮像装置７０などの各種表示装置における表示面や画像確認画面などにおいて、入力機能を持たせる入力装置１として利用することができる。
現在の携帯型のゲーム機などにおいては、液晶パネル保護及び意匠性の目的から、全面に一部黒色の透明樹脂板が設けられており、従来の技術ではタッチパネルを用いることは実現不可能であるが、上述の実施形態例におけるような静電容量方式の入力装置を用いることによって、小型の装置においてもタッチパネル機能を付与することが容易となり、また上述したように、剛性部材を設ける構成とすることによって、液晶パネル保護及び意匠性を確保しつつ、タッチパネル機能を有する入力装置を設けることが可能となる。図示しないが、上述したようにパーソナルコンピュータのタッチパッドにも適用可能である。
【００６２】
以上説明したように、本発明によれば、静電容量方式の入力装置において、各電極から外部との電気的接続部である端子部までの配線引き回し構造を立体的な構成とするため、狭額縁化が可能で、またＦＰＣ基板等との接続を一方の面のみにて行うことが可能となるので、薄型で小型の入力装置が実現可能となる。
したがって、本発明によれば、薄型化、小型化が可能であることから、本発明の入力装置を用いた表示装置の設計自由度が向上する。
また、本発明による入力装置は、使用状況によらずに位置座標の検出が可能となるため、現在一般的に多く用いられている抵抗膜式のタッチパネルに代えて利用可能であり、従来に比較して高耐久性、長寿命の入力装置を提供することが可能となる。
【００６３】
更に、本発明の入力装置においては、上述したように、電極及び配線構造や、ＦＰＣ基板が共通であっても、スルーホール部を設ける位置を変更するのみで、入力装置の表裏どちらからでもフレキシブル配線基板などへの接続が可能であり、部材コストの低減が可能となる。
また、基材及び各導電層を光透過性材料により構成することで、タッチパネルとして応用が可能となる。
タッチパネルとして用いる場合は、前述の図１１Ａ及びＢにおいて説明したように、表裏両面における２通りの貼合モードに対応させることが可能となる。
また、ＦＰＣ基板等の外部との接続部とは反対側の面が平坦面となるため、粘着テープなどで表示装置の前面板又は液晶表示装置等の各種表示装置上に貼合する場合においても、気泡発生などの問題を回避することができる。
このように、本発明によれば薄型で狭額縁化による小型化が可能なタッチパネルを実現することで、従来一般的に使用される抵抗膜式タッチパネルとの置き換えが可能となり、薄さと光学特性においてより優れた入力装置を提供することができる。
【００６４】
なお、本発明は、上述の各実施形態例に限定されるものではなく、その他本発明構成を逸脱しない範囲において種々の変形、変更が可能であり、本発明による入力装置は、上述の図１６Ａ〜Ｃに示す表示装置の他、パーソナルコンピュータのタッチパッド、また券売機などの固定配置型の表示装置など、各種の表示装置への入力装置として、適用可能であることはいうまでもない。
【図面の簡単な説明】
【００６５】
【図１】本発明による入力装置の一実施形態例の概略構成図である。
【図２】Ａは本発明による入力装置の一実施形態例の概略平面構成図である。Ｂは本発明による入力装置の一実施形態例の概略平面構成図である。Ｃは本発明による入力装置の一実施形態例の概略平面構成図である。
【図３】静電容量検出方式による位置座標検出装置の一例の概略ブロック構成図である。
【図４】本発明による入力装置の一実施形態例の概略分解斜視構成図である。
【図５】Ａは本発明による入力装置の一実施形態例の概略平面構成図である。Ｂは本発明による入力装置の一実施形態例の概略断面構成図である。
【図６】Ａは本発明による入力装置の一実施形態例における入力態様の説明図である。Ｂは本発明による入力装置の一実施形態例における入力態様の説明図である。
【図７】Ａは比較例による入力装置の一実施形態例の概略斜視構成図である。Ｂは比較例による入力装置の一実施形態例の概略斜視構成図である。
【図８】Ａは比較例による入力装置の一実施形態例の概略平面構成図である。Ｂは比較例による入力装置の一実施形態例の概略平面構成図である。
【図９】Ａは本発明による入力装置の一実施形態例の概略平面構成図である。Ｂは本発明による入力装置の一実施形態例の概略平面構成図である。Ｃは本発明による入力装置の一実施形態例の概略平面構成図である。
【図１０】Ａは本発明による入力装置の一実施形態例の概略平面構成図である。Ｂは本発明による入力装置の一実施形態例の概略平面構成図である。Ｃは本発明による入力装置の一実施形態例の概略平面構成図である。
【図１１】Ａは本発明による入力装置の一実施形態例の概略斜視構成図である。Ｂは本発明による入力装置の一実施形態例の概略斜視構成図である。
【図１２】本発明による入力装置の一実施形態例の概略断面構成図である。
【図１３】本発明による入力装置の一実施形態例の概略断面構成図である。
【図１４】本発明による入力装置の一実施形態例の概略断面構成図である。
【図１５】本発明による入力装置の一実施形態例の概略断面構成図である。
【図１６】Ａは本発明による入力装置を適用した表示装置の一例の概略構成図である。Ｂは本発明による入力装置を適用した表示装置の一例の概略構成図である。Ｃは本発明による入力装置を適用した表示装置の一例の概略構成図である。
【図１７】Ａは従来の入力装置の一例の概略平面構成図である。Ｂは従来の入力装置の一例の概略断面構成図である。
【図１８】従来の入力装置の一例の概略平面構成図である。
【符号の説明】
【００６６】
１．入力装置、２．電流検出部、３Ａ．差動実効値検波回路、３Ｂ．差動実効値検波回路、３Ｃ．差動実効値検波回路、３Ｄ．差動実効値検波回路、４．誤差補正回路、５．位置座標縁残部、６．接触体、１１．基材、１２．第１導電層、１３Ａ．検出電極、１３Ｂ．検出電極、１３Ｃ．検出電極、１３Ｄ．検出電極、１５．第２導電層、１６．固定電位電極、１７Ａ．表面保護層、１７Ｂ．表面保護層、２１．剛性部材、２２．接着剤、２３．誘電体層、２４．誘電体層、２５．反射防止層、２６．印刷部、３０．表示装置
【図１】
0004797504.tif 000002
【図２】
0004797504.tif 000003
【図３】
0004797504.tif 000004
【図４】
0004797504.tif 000005
【図５】
0004797504.tif 000006
【図６】
0004797504.tif 000007
【図７】
0004797504.tif 000008
【図８】
0004797504.tif 000009
【図９】
0004797504.tif 000010
【図１０】
0004797504.tif 000011
【図１１】
0004797504.tif 000012
【図１２】
0004797504.tif 000013
【図１３】
0004797504.tif 000014
【図１４】
0004797504.tif 000015
【図１５】
0004797504.tif 000016
【図１６】
0004797504.tif 000017
【図１７】
0004797504.tif 000018
【図１８】
0004797504.tif 000019